(57)【要約】  半導体本体（６）と、半導体本体（６）に形成された集積回路（７）と、集積回路（７）を保護するように形成された不動態層（１４）と、試験接点構造（１５）とを備えるチップ（２）において、試験接点構造（１５）は、不動態層（１４）の下に位置する試験接点層（１６）と、試験接点層（１６）に接続される試験接点ブロック（１８）とを有し、試験接点ブロック（１８）の一部は不動態層（１４）の穴部（１７）を通って試験接点層（１６）へと突出するとともに試験接点層（１６）に接続し、試験接点ブロック（１８）は不動態層（１４）の上に位置する接点領域（２０）を有する。
2008511979.tif 000002
【特許請求の範囲】
【請求項１】
半導体本体と、前記半導体本体に形成された集積回路と、前記集積回路を保護するように設計されて前記半導体本体に付与された不動態層と、前記不動態層の下に位置する試験接点層と、前記不動態層の穴部とを備えるチップであって、前記穴部は、前記試験接点層の上に設けられると共に、前記試験接点層と試験装置の試験接点との間に導電接続を確立できるように設計され、前記試験接点層には試験接点ブロックが接続し、前記試験接点ブロックは、前記不動態層の前記穴部を通って前記試験接点層を覆うと共に突出し、前記試験装置の試験接点と接触するように設計された接点領域を有し、前記接点領域は前記不動態層の上に位置し、前記試験接点ブロックは前記試験ブロックに隣接する前記不動態層の領域と平行な断面を有し、前記断面が最大で１６００μｍ２の面積を有することを特徴とするチップ。
【請求項２】
前記断面は矩形状を成すとともに少なくとも１つの辺長を有する辺によって画定され、前記少なくとも１つの辺長が１０μｍから４０μｍの値を有することを特徴とする請求項１に記載のチップ。
【請求項３】
前記少なくとも１つの辺長が３０μｍの値を有することを特徴とする請求項２に記載のチップ。
【請求項４】
前記試験接点ブロックの前記断面が正方形状を成すことを特徴とする請求項２又は請求項３に記載のチップ。
【請求項５】
請求項１から請求項４のいずれか１項に記載のチップを複数備えるウエハ。
【発明の詳細な説明】
【技術分野】
【０００１】
本発明は、半導体本体と、半導体本体に形成された集積回路と、集積回路を保護するように形成され、且つ半導体本体に付与される不動態層と、不動態層の下に位置する試験接点層と、不動態層における穴部とを備えたチップに関する。前記穴部は、試験接点層の上に設けられ、試験接点層と試験装置の試験接点との間の導電接続を確立するように形成される。
【０００２】
また本発明は、前段落に記載したタイプの多数のチップを含むウエハに関する。
【背景技術】
【０００３】
冒頭の段落で述べた種類のチップは、特許文献ＤＥ１０１５９７９７Ａ１に記載のものが知られている。この知られたチップでは、集積回路の印刷ライン部分によって試験接点層が形成され、この印刷ライン部分は不動態層に対して集積回路の最後から２番目の金属層中に存在している。この試験接点層の上にはピット状の凹部が設けられ、この凹部は試験接点層から試験接点層の上に設けられる不動態層の穴部まで延在する。試験装置の試験接点として形成される試験針は、不動態層の穴部を通して前記凹部内に挿入し、試験接点層ヘと移動させることで、試験針を試験接点層と導電接続することができる。試験針を試験接点層と導電接続させれば、試験装置による試験作業を行なうことができる。
【０００４】
既知のチップでは、不動態層の穴部の断面寸法、この穴部と試験接点層との間の凹部の断面寸法、並びに試験接点層の断面寸法は、試験針が試験接点層と導電接続できる大きさになるように選択しなければならない。かかる試験針はさらに細くするのが好ましいが、試験作業を行う際、試験針は機械的応力を受けるため、機械的応力によって試験針の断面寸法を特定の限界値より小さくすることはできないという制約を受ける。現在のところ、好ましくは直径約７５μｍ、よって断面積が約４４２０μｍ２の円形断面を有する試験針が知られており、頻繁に使用されている。直径約７５μｍ、断面積約４４２０μｍ２のそのような試験針を使用して、特許文献ＤＥ１０１５９７９７Ａ１から知られるチップに対して試験作業を行う場合、特許文献ＤＥ１０１５９７９７Ａ１の図面から分かるように、それぞれが試験針の直径よりもかなり大きい断面を有する穴部及び凹部並びに試験接点層を既知のチップ内に設ける必要がある。このことは、既知のチップにおける試験に必要な手段、即ち穴部及び凹部並びに試験接点層を設けるために比較的大きなチップ表面が必要であるということを意味し、チップ表面の使用はできる限り節減するという観点から、不利である。
【発明の開示】
【発明が解決しようとする課題】
【０００５】
本発明の目的は、前述した問題を克服するとともに、改良したチップ及び改良したウエハを提供することである。
【課題を解決するための手段】
【０００６】
前述した目的を達成するために、本発明によるチップに本発明による特徴を提供する。本発明によるチップは、以下のように特徴付けることができる。すなわち：
半導体本体と、半導体本体に形成された集積回路と、集積回路を保護するように設計されると共に半導体本体に付与された不動態層と、不動態層の下に位置する試験接点層と、不動態層の穴部と、を備え、前記穴部は、試験接点層の上に設けられると共に、試験接点層と試験装置の試験接点との間に導電接続を確立できるように設計され、試験接点層には試験接点ブロックが接続され、この試験接点ブロックは不動態層の穴部を通って試験接点層を覆うと共に突出し、試験装置の試験接点と接触するように設計された接点領域を有し、当該接点領域は不動態層の上に位置し、試験接点ブロックは当該試験ブロックに隣接する不動態層の領域と平行な断面を有し、この断面が最大で１６００μｍ２の面積を有する。
【０００７】
上述の目的を達成するために、本発明によるウエハに本発明によるチップを多数設ける。
【０００８】
本発明による特徴を備えることにより、以下のことが構造的に単純な方法で達成される。即ち本発明によるチップでは、試験接点ブロック及びその下に位置する試験接点層を含む、試験を行うために必要な本チップの試験接点構造の所要断面を、従来知られた方法に比べて大幅に小さく設計することができることで、試験を行うのに必要な本発明によるチップの試験接点構造がチップ表面を占める割合が既知の方法よりもかなり小さなものになるという大きな利点が得られる。試験接点層は、例えば金、銀、銅、又は半導体技術において知られている導電性の高い他の材料等、種々の材料によって形成しても良い。また試験接点ブロックは、例えば銀、銅、錫又は半導体技術において知られている導電性の高い他の材料等、種々の材料によって形成しても良い。
【０００９】
試験接点層及び試験接点ブロックは、様々な製造方法を使用して、及び多くの変形実施形態によって形成しても良い。一例として、試験接点層及び試験接点ブロックは、円形、六角形、若しくは八角形の断面、又はＬ字形の断面を有し得る。本発明によるチップにおいて、試験接点層はアルミニウムで作成した、いわゆるパッドによって形成しても良く、試験接点ブロックは金で作成した、いわゆるバンプによって形成しても良い。パッド及びバンプは、断面が最大で４０μｍの辺長を有する長方形又は正方形の断面を有することが好ましい。なおチップ自体に関しては、アルミニウムから作成したパッド及びパッドに付与される金から作成したバンプを使用して、チップ端子を製造することが、長期にわたって知られているが、これまでの既知のパッド及びバンプからなるチップ端子の場合には、かかる既知のチップ端子はいずれの場合にもいわゆる実装コンタクトへの接続を形成するように設けられると共にそのように設計されるため、その断面がかなり大きくなる。かかる実装コンタクトへの接続は、ボンディングワイヤをチップ端子と実装コンタクトに接続する必要のあるボンディング技術、又はチップ端子を有するチップを実装コンタクトに対して押圧する必要のあるフリップチップ技術のいずれかによって形成される。２つの技術のそれぞれにおいて、これら２つの技術をそれぞれチップ端子上で実行する際に生じる比較的大きなストレスに対して耐性があると共に損傷を受けないということが、チップ端子に求められるため、チップ端子の断面は常に比較的大きなものにならざるを得ない。このことは長年にわたる問題であると共に技術的にも知られているが、チップの試験接点構造が必要とされ使用されるのは試験の目的に対してのみであるということから、基本的に従来のチップ端子と同じように比較的低い応力に対してのみ耐性を持たせ、チップ表面を大きく節減するようにかかる試験接点構造の断面を効果的に小さいものとするという、本発明の方針が提唱されることはなかった。本発明による方法では、試験装置の試験接点とチップの試験接点構造との間の導電接点接続を確実に形成することもできる。これは、試験接点構造の試験接点ブロックの有効断面のサイズが小さいために、試験装置の試験接点がほぼ常に試験接点構造の試験接点ブロックの有効断面と確実に接触する状態にあるためである。
【００１０】
前述のように、試験接点ブロックの断面は円形状であっても、或いはＬ字形状に形成されても良い。ただし、本発明によるチップでは断面が矩形状を成すと共に、少なくとも１つの辺長が１０μｍから４０μｍの値を有するように辺の範囲を定めた場合に有利であることが分かった。このようにすれば、試験実験で確証されるように、できる限り簡単な方法で製造できると共に構造的にも可能な限り単純であるため、非常に有益である。
【００１１】
本発明によるチップにおいて、少なくとも１つの辺長は１０μｍ、１５μｍ、２０μｍ、２５μｍ、３５μｍ又は４０μｍの値を有し得る。少なくとも１つの辺長が３０μｍの値を有する場合に非常に有利であることが分かった。かかる設計では、可能な限り小さい試験接点構造の断面でありながら試験接点構造の機械的安定性は十分に高いという好適な折り合いがつけられており、非常に有利である。
【００１２】
本発明によるチップにおいて、試験接点ブロックの断面は長方形であっても良いが、試験接点ブロックの断面は正方形であると非常に有利であることが分かっている。このように、試験接点構造の試験接点ブロックの断面サイズは特に小さいものとなる。
【００１３】
本発明の前述の態様及び更なる態様は、以下に記載する実施形態の例から明らかになるとともに、以下に記載する実施形態の例を参照して説明する。
【００１４】
図面に示す実施形態の一例を参照して本発明をさらに説明するが、本発明はそれに限定されない。
【発明を実施するための最良の形態】
【００１５】
図１は、多数のチップ２を含むウエハ１を示す。図１において、チップ２は概略的にのみ示しており、詳細を示すものではない。各チップ２は所定のチップ面を有し、このチップ面はチップ境界３内に位置する。この図の場合には、各チップ２のチップ面は正方形であるため、チップ境界３の長さは等しい。長方形のチップ面も知られており可能である。既知の方法においては、各チップ２のチップ面及びチップ境界３は、チップの製造中に露光マスクによって形成される露光領域により規定される。
【００１６】
チップ２同士の間には狭い長手方向の分離領域４が設けられる。分離領域４は、個々のチップ２を分離する目的でウエハ１を横断するように設けられている。この場合、ウエハ１は切断線５に沿って切断されるが、それらの切断線のうち２つの切断線５だけを図１に一点鎖線で示している。切断作業においては専用の切断刃を使用してウエハ１を切断線５に沿って切断することができる。しかし、切断刃の代わりにレーザ切断装置又は他の切断装置を使用することもできる。また、切断はエッチングプロセスによって行っても良い。
【００１７】
図２はチップ２の一部分のみを示しており、図１に示すウエハ１から切断されることにより形成されたものである。チップ２は半導体本体６を有する。半導体本体６には集積回路７が形成されるが、図２には前記集積回路７のわずかな部分のみを示している。集積回路７の上側には５つの金属層８、９、１０、１１、１２が互いに上下に位置して設けられている。金属層８から１２は、集積回路７の回路部品を導電接続するために既知の方法で形成されている。金属層８から１２の間にはブリッジが存在するが、図２にはそれらのブリッジのうち、第４の金属層１１と第５の金属層１２との間に設けられた３つのブリッジ１３が示されている。この場合、金属層８から１２とブリッジ１３はアルミニウムで作成される。
【００１８】
集積回路７及びそれより上に位置する金属層８から１２並びにブリッジ１３を保護するため、チップ２には半導体本体６に対して不動態層１４が設けられている。この場合、不動態層１４は窒化ケイ素（ＳｉＮ）から成り、約１．５μｍの厚さを有する。なお、かかる保護層１４は２つの層として形成されても良く、その場合には厚さが５００ｎｍのいわゆるＰＳＧ層と厚さが約１０００ｎｍの窒化物層とを含み、前記窒化物層がＰＳＧ層に対して設けられるため、結果として全体の厚さは約１．５μｍとなる。
【００１９】
チップ２において、チップ２を試験するために使用できる手段を提供する。チップを試験する方法自体は以前から知られており、必要な試験デバイスとかかる試験デバイスを用いて実行できる試験作業に関しては、本内容において重要ではないため、ここには詳細に記載しない。試験の目的で、チップ２は多数の試験接点構造を備える。チップ２の試験接点構造の全てのうち、１つの試験接点構造１５を図２に示す。
【００２０】
試験接点構造１５は不動態層１４の下に位置する試験接点層１６を有する。試験接点層１６は導電的に、及び図２では詳細には示していない方法で、試験される集積回路７に接続する。試験接点層１６の上の不動態層１４に穴部１７を設ける。穴部１７は、図２には示さない試験デバイスの試験接点ＴＣと試験接点層１６との間に導電接続を確立するよう設計する。試験接点ＴＣは既知の試験針によって形成されており、矢印ＡＲの方向に試験接点構造１５上に配置することができる。この場合には、穴部１７は正方形の断面を有しており、断面は１６μｍ×１６μｍである。
【００２１】
チップ２において、試験接点ブロック１８は試験接点層１６に接続する。試験接点ブロック１８を試験接点層１６に対して良好に安定して機械的及び電気的に接続させるために接続層１９を設けるが、この接続層１９は試験接点ブロック１８の一部と見なすべきであると共に、チタン−タングステン（ＴｉＷ）で作成し、厚さを約１．０μｍとする。ただし、接続層の厚さは１．５μｍ又は２．０μｍであっても良い。試験接点ブロック１８は、付与された接続層１９が不動態層１４の穴部１７を通って試験接点層１６を覆うと共に突出する。試験接点ブロック１８は、試験装置の試験接点ＴＣと接触するように形成された接点領域２０を有し、この接点領域２０は不動態層１４の上に位置する。試験接点ブロック１８は金（Ａｕ）で作成され、試験接点ブロック１８の高さは、試験接点ＴＣと協働するように設計された接点領域２０が不動態層１４から約１８μｍの距離の所に位置するように選択する。しかし、接点領域２０と不動態層１４との間の前述の距離は、１５μｍ程であっても、２０μｍ或いは２５μｍであっても良い。
【００２２】
試験接点ブロック１８は、試験接点ブロック１８に隣接する不動態層１４の領域に平行な矩形断面２１を有し、この矩形断面２１は図２において一点鎖線で概略的に示している。断面２１は４つの辺によって画定される。この場合、断面２１は長さが等しい４つの辺によって画定され、長さが等しい４つの各辺は辺長ａを有する。この場合、試験接点ブロック１８の断面２１は正方形であり、辺長は３０μｍの値を有する。従って、３０μｍの値を有する辺長ａは、試験針によって形成される試験接点ＴＣの約７５μｍの直径よりもかなり小さい。試験接点構造１５の本実施形態において、試験接点ブロック１８の断面２１は１６００μｍ２未満の面積を有し、具体的には面積が約９００μｍ２程でしかなく、これは本発明による利点を達成するための必須条件である。しかし、試験接点ブロック１８は長方形状の断面２１を有しても良く、その場合にはこの長方形状は辺長ａ及び辺長ｂの異なる長さの２対の辺によって画定され、辺長ａが３０μｍの値を有し、辺長ｂが４０μｍの値を有し得る。断面２１が他の辺長を有する辺によって画定されても良いことは言うまでも無く、一例として辺長は１０μｍ、１５μｍ、２０μｍ、２５μｍ、３５μｍ、４０μｍの値を有し得る。いずれにせよ、試験接点構造１５が十分に小さいことこそが利点であり、その結果としてチップ面を大きく節減できるという利点が得られるため、辺長に関しては４０μｍ、断面積に関しては１６００μｍ２をその上限とする。
【図面の簡単な説明】
【００２３】
【図１】チップと、チップ同士の間の長手方向の分離領域とを含むウエハを概略的に示す平面図。
【図２】本発明の実施形態の一例によるチップの一部を、図１をより拡大して示す図。
【図１】
2008511979.tif 000003
【図２】
2008511979.tif 000004
【国際調査報告】
2008511979.tif 000005
2008511979.tif 000006